(57)【要約】【課題】傾斜部格子の間隔や傾斜角度を均一に保つと共に、傾斜地で施工することができるフェンスを提供する。【解決手段】フェンス１Ａは、複数の鉛直部格子２１を、ネジ２３によって鉛直部胴縁２２に取り付けた鉛直パネル２０と、鉛直部格子２１の上端から鉛直パネル２０の正面側又は背面側へ傾斜する複数の傾斜部格子３１を、取付ネジ３５によって傾斜部胴縁３２に取り付けた傾斜パネル３０と、傾斜部格子３１と傾斜部胴縁３２の間に配置され、ネジ２３の軸部２３Ａと取付ネジ３５の軸部３５Ａを平行に調整する軸調整部品３３と、を備える。【選択図】図２
2019131953.tif 000002
【特許請求の範囲】
【請求項１】
複数の鉛直部格子を、第１の締結部品によって鉛直部胴縁に取り付けた鉛直パネルと、
前記鉛直部格子の上端から前記鉛直パネルの正面側又は背面側へ傾斜する複数の傾斜部格子を、第２の締結部品によって傾斜部胴縁に取り付けた傾斜パネルと、
前記傾斜部格子と前記傾斜部胴縁の間に配置され、前記第１の締結部品の軸部と前記第２の締結部品の軸部を平行に調整する軸調整部品と、
を備える、
ことを特徴とするフェンス。
【請求項２】
前記軸調整部品は、前記第２の締結部品の前記軸部に対して傾斜した一端部と、前記第２の締結部品の前記軸部に対して垂直な他端部と、を有し、
前記一端部が前記傾斜部格子に当接した、
ことを特徴とする請求項１に記載のフェンス。
【請求項３】
前記軸調整部品は、前記一端部に前記傾斜部格子に設けられた凹部に嵌合する突起を有する
ことを特徴とする請求項２に記載のフェンス。
【発明の詳細な説明】
【技術分野】
【０００１】
本発明は、フェンスに関する。
【背景技術】
【０００２】
フェンスには、忍び返しが設けられることがある。例えば、特許文献１には、複数の鉛直部格子を備えるフェンスにおいて、鉛直部格子それぞれの上端を折り曲げて忍び返しの傾斜部格子を形成することが開示されている。
【先行技術文献】
【特許文献】
【０００３】
【特許文献１】特開２００８−１９６２２６号公報
【発明の概要】
【発明が解決しようとする課題】
【０００４】
特許文献１に記載のフェンスでは、高い精度で鉛直部格子の上端を折り曲げて傾斜部格子を形成することが難しいという問題がある。その結果、傾斜部格子の間隔や傾斜角度が均一にならず、外観が良くない。また、傾斜部格子を長くした場合にも、傾斜部格子の強度が不足する結果、傾斜部格子が自重で垂れ下がり、傾斜部格子の間隔や傾斜角度を均一に保つことが難しい。この様な問題を解決する方法として、傾斜部格子同士を連結する傾斜部胴縁を設けることが考えられる。
【０００５】
しかし、傾斜部胴縁を設ける場合、鉛直部格子を鉛直部胴縁に取り付ける第１の締結部品の軸部と、傾斜部格子を傾斜部胴縁に取り付ける第２の締結部品の軸部の方向が一致せず、リンク機構が成立しない。このため、傾斜地で施工することができない。
【０００６】
本発明は、上記事項に鑑みてなされたものであり、その目的とするところは、傾斜部格子の間隔や傾斜角度を均一に保つと共に、傾斜地で施工することができるフェンスを提供することにある。
【課題を解決するための手段】
【０００７】
本発明に係るフェンスは、
複数の鉛直部格子を、第１の締結部品によって鉛直部胴縁に取り付けた鉛直パネルと、
前記鉛直部格子の上端から前記鉛直パネルの正面側又は背面側へ傾斜する複数の傾斜部格子を、第２の締結部品によって傾斜部胴縁に取り付けた傾斜パネルと、
前記傾斜部格子と前記傾斜部胴縁の間に配置され、前記第１の締結部品の軸部と前記第２の締結部品の軸部を平行に調整する軸調整部品と、
を備える、
ことを特徴とする。
【０００８】
前記軸調整部品は、前記第２の締結部品の前記軸部に対して傾斜した一端部と、前記第２の締結部品の前記軸部に対して垂直な他端部と、を有し、
前記一端部が前記傾斜部格子に当接してもよい。
【０００９】
前記軸調整部品は、前記一端部に前記傾斜部格子に設けられた凹部に嵌合する突起を有してもよい。
【発明の効果】
【００１０】
本発明によれば、複数の傾斜部格子が傾斜部胴縁によって支持されるため、傾斜部格子の間隔や傾斜角度を均一に保つことができる。このため、フェンスの外観が良くなる。また、軸調整部品が第１の締結部品の軸部と第２の締結部品の軸部を平行に調整するので、リンク機構が成立し、傾斜地で施工することができる。
【図面の簡単な説明】
【００１１】
【図１】（Ａ）本発明の実施の形態に係るフェンスの正面図、（Ｂ）側面図
【図２】（Ａ）図１（Ｂ）に示すIIA領域の拡大側面図、（Ｂ）図２（Ａ）に示すIIB領域の拡大側面図
【図３】（Ａ）実施の形態に係るフェンスが備える軸調整部品の斜視図、（Ｂ）図３（Ａ）に示すIIIB-IIIB断面図、（Ｃ）図３（Ａ）に示すIIIC-IIIC断面図
【図４】（Ａ）軸調整部品を備えないフェンス２の側面図、（Ｂ）実施の形態に係るフェンスの側面図
【図５】（Ａ）実施の形態に係るフェンスを水平な敷地に設置した場合の、そのフェンスの上面図、（Ｂ）正面図、（Ｃ）側面図
【図６】（Ａ）鉛直パネルの変形例を示す上面図、（Ｂ）正面図、（Ｃ）側面図
【発明を実施するための形態】
【００１２】
以下、本発明の実施の形態に係るフェンスについて図面を参照して詳細に説明する。なお、図中、同一又は同等の部分には同一の符号を付す。
なお、本明細書では、正面とは、フェンスの、フェンスが取り囲む敷地とは反対側のことである。背面とは、フェンスに対して敷地側のことである。例えば、フェンスが宅地と道路の境界に設置される場合、道路側が正面、宅地側が背面である。また、左右とは、フェンスを正面から見た場合の左右のことである。
【００１３】
実施の形態に係るフェンスは、傾斜パネル（忍び返しともいい、明細書では傾斜パネルというものとする）を備える、傾斜地で施工可能なフェンスである。傾斜パネルには、締結部品の軸部の向きを調整する軸調整部品が取り付けられている。まず、図１を参照して、フェンス全体の構成について説明する。続いて、図２および図３を参照して、軸調整部品を備える傾斜パネルの構成について説明する。
【００１４】
図１（Ａ）は本実施の形態に係るフェンスの正面図である。図１（Ｂ）は側面図である。
図１（Ａ）および（Ｂ）に示すように、フェンス１Ａは、鉛直パネル２０と、鉛直パネル２０の上に設けられた傾斜パネル３０と、で構成されている。
【００１５】
鉛直パネル２０は、複数の鉛直部格子２１と、複数の鉛直部格子２１を連結する２つの鉛直部胴縁２２と、で構成されている。ここで、鉛直部格子２１は、アルミニウムの押出し形材であって、縦長の四角筒状の部材である。鉛直部胴縁２２もアルミニウムの押出し形材であって、横長の四角筒状の部材である。
【００１６】
図２に示すように、鉛直部格子２１は、ネジ２３（特許請求の範囲の「第１の締結部品」）によって鉛直部胴縁２２に取り付けられている。詳細には、鉛直部胴縁２２の正面壁には、図示しない貫通孔が形成されている。その貫通孔にはネジ２３が通されている。そして、ネジ２３が鉛直部格子２１の背面壁に形成され、水平方向に向いたネジ孔に取り付けられている。ここで、ネジ孔の向きは、後述する、鉛直部格子２１の長手方向（図２（Ａ）では上下方向）に垂直な平面Ｐと平行な方向に向けられている。これにより、鉛直部格子２１と鉛直部胴縁２２が締結されている。
【００１７】
一方、鉛直部胴縁２２は、傾斜地Ｓのグランドラインに沿って配置するために（鉛直パネル２０を傾斜地に施工するために）、ネジ２３を軸として、鉛直部格子２１に対する鉛直部胴縁２２の角度が調整されている（すなわち、鉛直部胴縁２２と鉛直部格子２１によってリンク機構が成立している）。そして、図１（Ａ）では、鉛直部胴縁２２が右上がりに傾斜している。
【００１８】
さらに、鉛直部胴縁２２は、図１（Ａ）および（Ｂ）に示すように、傾斜地Ｓに据え付けられた複数の支柱１０に固定されている。
詳細には、各鉛直部胴縁２２の背面側に凹部が設けられており、その凹部には、ナットが嵌められている。一方、支柱１０は、四角筒状に形成され、その下端側が傾斜地Ｓに埋設された基礎部１１に固定されている。支柱１０の正面側には、鉛直部胴縁２２を仮固定するための金具と、支柱１０を水平方向に貫通する、図示しない貫通孔が形成されている。その貫通孔には、凹部にあるナットに嵌められる取付ネジ２４が通されている。鉛直部胴縁２２は、金具によって支柱１０に仮固定されると共に、ナットと取付ネジ２４によって支柱１０に締結されている。これにより、鉛直部胴縁２２が支柱１０に固定されている。
【００１９】
一方、傾斜パネル３０は、鉛直部格子２１と同数の傾斜部格子３１と、傾斜部格子３１を連結する１つの傾斜部胴縁３２と、傾斜部格子３１と傾斜部胴縁３２の間に設けられた軸調整部品３３と、で構成されている。図１〜図３を参照して、傾斜パネル３０の構成について説明する。
【００２０】
図２（Ａ）は図１（Ｂ）に示すIIA領域の拡大側面図である。図２（Ｂ）は図２（Ａ）に示すIIB領域の拡大側面図である。図３（Ａ）は、実施の形態に係るフェンス１Ａが備える軸調整部品の斜視図である。図３（Ｂ）は、図３（Ａ）に示すIIIB-IIIB断面図である。図３（Ｃ）は、図３（Ａ）に示すIIIC-IIIC断面図である。
傾斜部格子３１は、図１（Ａ）、（Ｂ）および図２（Ａ）に示すように、鉛直部格子２１と同じ形状、大きさの断面を有するアルミニウムの押し出し形材であって、四角筒状の部材である。傾斜部格子３１の長さは、鉛直パネル２０の乗り越えを防止するだけの構造物であることから、鉛直部格子２１よりも短い。そして、傾斜部格子３１は、連結金具３４によって鉛直部格子２１に連結されている。
【００２１】
連結金具３４は、図２（Ａ）に示すように、側面視でくの字状に形成された部材である。詳細には、連結金具３４は、鉛直部格子挿入部３４Ａと、鉛直部格子挿入部３４Ａから上斜め方向へ延びる傾斜部格子挿入部３４Ｂと、を有する。この傾斜部格子挿入部３４Ｂは、鉛直部格子挿入部３４Ａに対して、フェンス１Ａが取り囲む敷地側、すなわち、背面側に傾斜している。その傾斜角θは、鉛直部格子挿入部３４Ａに対して５〜９０°であればよく、例えば、５〜４５°である。
【００２２】
鉛直部格子挿入部３４Ａは、鉛直部格子２１の上端に挿入され、傾斜部格子挿入部３４Ｂは、傾斜部格子３１の下端に挿入されている。これにより、鉛直部格子２１と傾斜部格子３１が連結されている。その結果、傾斜部格子３１が背面側へ傾斜して、人、動物等の乗り越えを防止している。傾斜部格子３１には、その間隔や傾斜角度を均一に保ち、その強度を高めるために、傾斜部胴縁３２が固定されている。なお、本実施の形態に示す、鉛直部格子２１と傾斜部格子３１が別部材の形態の場合、傾斜部胴縁３２を用いることで、傾斜部格子３１の間のガタツキを抑えることもできる。
【００２３】
傾斜部胴縁３２は、図２（Ｂ）に示すように、胴縁ベース３２Ａと、胴縁ベース３２Ａを覆う胴縁カバー３２Ｂと、で構成されている。
【００２４】
胴縁ベース３２Ａは、細長い板状の部材である。その長手方向の長さは、図１（Ａ）に示すように、鉛直部胴縁２２と同じである。そして、胴縁ベース３２Ａの長手方向は、鉛直部胴縁２２と平行に向けられている。図２（Ｂ）に示すように、胴縁ベース３２Ａは、傾斜部格子３１の背面側に配置されている。
【００２５】
胴縁カバー３２Ｂは、側面視でコの字状に形成され、そのコの字の開口を正面側に向けて、胴縁ベース３２Ａの背面側に配置されている。これにより、胴縁カバー３２Ｂは、胴縁ベース３２Ａの背面側を覆っている。胴縁ベース３２Ａには、図示しない貫通孔が形成され、その貫通孔に、取付ネジ３５（特許請求の範囲の「第２の締結部品」）が通されている。胴縁カバー３２Ｂは、取付ネジ３５の頭部を隠してフェンス１Ａの意匠性を高めている。
【００２６】
一方、取付ネジ３５の軸部３５Ａは、胴縁ベース３２Ａの貫通孔を通って、正面側にある傾斜部格子３１まで達している。傾斜部格子３１の背面壁には、鉛直部格子２１の背面壁に形成されたネジ孔と同じ方向に向いた、すなわち、水平方向に向いた、図示しないネジ孔が形成されている。取付ネジ３５の軸部３５Ａは、そのネジ孔に挿入されている。傾斜部格子３１の背面壁と胴縁ベース３２Ａとの間には、取付ネジ３５の軸部３５Ａの挿入方向を調整するため、軸調整部品３３が配置されている。
【００２７】
軸調整部品３３は、樹脂成型によって形成されている。そして、軸調整部品３３は、図３（Ａ）−（Ｃ）に示すように、円筒壁３３Ａと、円筒壁３３Ａの内部のネジ挿入円筒壁３３Ｂと、円筒壁３３Ａの正面側の傾斜壁３３Ｃ（特許請求の範囲の「一端部」）と、を有する形状に形成されている。
【００２８】
円筒壁３３Ａは、図３（Ｂ）に示すように、背面側の端面３３Ｇ（特許請求の範囲の「他端部」）が円筒軸３３Ｄに対して垂直に形成されている。これにより、円筒壁３３Ａは、後述する、傾斜壁３３Ｃが傾斜部格子３１の背面壁に当接した状態で、背面側に配置された胴縁ベース３２Ａの板面を鉛直方向に向ける。その結果、胴縁ベース３２Aの板面と鉛直部格子２１の背面壁とが平行になる。
また、円筒壁３３Ａの背面側の端面３３Ｇと傾斜壁３３Ｃの間の距離（特に、図３（Ｂ）に示す円筒壁３３Ａ上端側の距離Ｌ）を大きくすることが好ましい。これにより、フェンス１Ａを傾斜させた際に、傾斜部格子３１と傾斜部胴縁３２が干渉することを防ぐことができる。一方、円筒壁３３Ａの内側には、円筒軸３３Ｄに沿ってネジ挿入円筒壁３３Ｂが設けられている。
【００２９】
ネジ挿入円筒壁３３Ｂは、取付ネジ３５の軸部３５Ａが挿入可能とするため、軸部３５Ａの外径よりもやや大きい内径を有する。そして、ネジ挿入円筒壁３３Ｂの正面側は、傾斜壁３３Ｃとつながっている。ネジ挿入円筒壁３３Ｂの内側空間は、正面側と背面側が開口している。この内側空間は、傾斜壁３３Ｃの中心に形成され、かつネジ挿入円筒壁３３Ｂの内径と同じ径を有する貫通孔３３Ｅにつながっている。これにより、取付ネジ３５の軸部３５Ａをネジ挿入円筒壁３３Ｂから傾斜壁３３Ｃへ通させている。
【００３０】
傾斜壁３３Ｃは、図３（Ｂ）に示すように、円筒軸３３Ｄに対して傾斜角φで傾斜している。この傾斜角φは、９０°から図２に示す傾斜角θ（すなわち、傾斜部格子３１が鉛直部格子２１に対して傾斜する角度）を引いて得られた角度と同じであり、換言すると、図２に示すように、傾斜部格子３１が水平面、すなわち、鉛直部格子２１の長手方向に垂直な平面Ｐに対して傾斜する角度と同じである。このような角度で傾斜壁３３Ｃが傾斜することで、軸調整部品３３が傾斜部格子３１の背面壁と胴縁ベース３２Ａとの間に配置されて、傾斜壁３３Ｃが傾斜部格子３１の背面壁に当接したときに、円筒軸３３Ｄを、鉛直部格子２１の長手方向に垂直な平面Ｐに対して平行に調整する。その結果、取付ネジ３５の軸部３５Ａを、同平面Ｐに平行に調整する。
【００３１】
また、傾斜壁３３Ｃには、傾斜部格子３１に対する軸調整部品３３の取付け位置を決めるため、正面側に突出する２つの突起３３Ｆが設けられている。傾斜部格子３１の背面壁には、２つの突起３３Ｆに対応する図示しない２つの凹部が設けられている。２つの突起３３Ｆは、これらの凹部に嵌合可能な形状に形成され、これらの凹部に嵌合することで、傾斜部格子３１に対する軸調整部品３３の取付け位置（傾斜部格子３１の背面壁のネジ孔、貫通孔３３Ｅの位置、およびネジ挿入円筒壁３３Ｂの向き）を決めることができる。また、取付ネジ３５をねじ込む際の、軸調整部品３３の回転を防止することができる。
【００３２】
次に、フェンス１Ａの組み立て方法について説明する。以下の説明では、軸調整部品３３の作用もあわせて説明する。図４を参照して軸調整部品３３を備えないフェンス２とフェンス１Ａを比較して説明する。
【００３３】
図４（Ａ）は軸調整部品３３を備えないフェンス２の側面図である。図４（Ｂ）は実施の形態に係るフェンス１Ａの側面図である。
まず、上述した鉛直部格子２１、鉛直部胴縁２２、傾斜部格子３１、傾斜部胴縁３２、連結金具、軸調整部品３３等を用意し、鉛直部格子２１と傾斜部格子３１を連結する。詳細には、鉛直部格子２１に連結金具を取り付け、鉛直部格子２１に傾斜部格子３１を連結する。続いて、鉛直部格子２１を、ネジ２３を用いて鉛直部胴縁２２に固定する。このとき、鉛直部格子２１の背面壁に形成されたネジ孔が図２で示す平面Ｐ（図２では水平面）と平行な向きに向いているため、ネジ２３の軸部２３Ａは、平面Ｐに平行な方向に向く。
【００３４】
次に、傾斜部格子３１の背面壁の凹部に、軸調整部品３３の突起３３Ｆを嵌合させて、傾斜部格子３１に軸調整部品３３を取り付ける。これにより、ネジ挿入円筒壁３３Ｂの向きを図２で示す平面Ｐと平行な向きに調整する。続いて、軸調整部品３３の背面側の端面３３Ｇに、傾斜部胴縁３２の胴縁ベース３２Ａを当接させる。その状態で、胴縁ベース３２Ａの貫通孔から軸調整部品３３のネジ挿入円筒壁３３Ｂ内に取付ネジ３５を挿入する。ネジ挿入円筒壁３３Ｂの向きが平面Ｐと平行に調整されているので、取付ネジ３５の軸部３５Ａは平面Ｐと平行な方向を向く。そして、挿入した取付ネジ３５を、傾斜部格子３１の背面壁に形成されたネジ孔に取り付ける。これにより、傾斜部胴縁３２に傾斜部格子３１を固定する。続いて、胴縁ベース３２Ａに胴縁カバー３２Ｂを被せる。以上の工程により、傾斜パネル３０が鉛直パネル２０上に設けられる。これらの工程は、作業性の観点から、工場で行うことが好ましい。なお、工場で組み立てて搬送する際に、傾斜部格子３１に予期せぬ力が加わった場合でも、傾斜部格子３１を傾斜部胴縁３２で連結しているため、傾斜部格子３１の間隔と傾斜角度を均一に保つことができる。
【００３５】
次に、鉛直パネル２０を、取付ネジ２４で、予め傾斜地Ｓに設置した支柱１０に固定する。詳細には、鉛直部胴縁２２が仮固定可能な金具を支柱１０の正面壁に取り付け、続けて、その金具で鉛直部胴縁２２を仮固定する。次に、支柱１０の貫通孔に取付ネジ２４を挿入し、挿入された取付ネジ２４で、鉛直部胴縁２２を固定する。以上により、フェンス１Ａが組み立てられる。
【００３６】
図４（Ａ）に示すように、軸調整部品３３を備えないフェンス２の場合、傾斜部格子３１の背面壁に直接、傾斜部胴縁３２の正面壁を当接させて、傾斜部格子３１を傾斜部胴縁３２に取り付ける。この場合、傾斜部胴縁３２の正面壁は、傾斜部格子３１の背面壁と同様に、鉛直部格子２１に対して傾斜してしまう。この状態で、取付ネジ３５の軸部３５Ａを傾斜部胴縁３２の正面壁に対して垂直に向けて、取付ネジ３５を傾斜部格子３１のネジ孔に取り付けると、取付ネジ３５の軸部３５Ａが水平面（鉛直部格子２１の長手方向に垂直な平面）に対して傾斜してしまう。その結果、取付ネジ３５の軸部３５Ａを、ネジ２３の軸部２３Ａと異なる方向へ向けることになり、リンク機構が成立しない。このため、ネジ２３を軸として、鉛直部格子２１に対する鉛直部胴縁２２の角度が調整できない。すなわち、フェンス２を傾斜させることができなくなり、その結果、フェンス２では、傾斜地Ｓに対応した施工ができない。
【００３７】
これに対して、図４（Ｂ）に示す軸調整部品３３を備えるフェンス１Ａでは、取付ネジ３５の軸部３５Ａとネジ２３の軸部２３Ａの向きが一致するため、リンク機構が成立し、傾斜地Ｓに対応した施工が可能である。
【００３８】
以上のように、本実施の形態に係るフェンス１Ａは、軸調整部品３３を備えるため、取付ネジ３５の軸部３５Ａを、ネジ２３の軸部２３Ａと同じ方向、すなわち、平行に調整することができる。その結果、リンク機構が成立し、ネジ２３を軸として、鉛直部格子２１に対する鉛直部胴縁２２の角度が調整できる。このため、フェンス１Ａが傾斜地Ｓに対応した施工が可能となる。
【００３９】
また、傾斜地Ｓにおいても、傾斜部格子３１を傾斜部胴縁３２で連結して、傾斜部格子３１の間隔と傾斜角度を均一に保つことができる。その結果、フェンス１Ａの意匠性を高め、強度を高めることができる。
【００４０】
以上、本発明の実施の形態を説明したが、本発明は上記の実施の形態に限定されるものではない。例えば、上記の実施の形態では、フェンス１Ａが傾斜地Ｓに設置されているが、本発明はこれに限定されない。本発明では、フェンス１Ａが設置される箇所の傾斜、表面形状は任意である。また、鉛直パネル２０の全体形状も任意である。
【００４１】
図５（Ａ）は実施の形態に係るフェンス１Ｂを水平な敷地に設置した場合の、そのフェンス１Ｂの上面図である。図５（Ｂ）はその正面図である。図５（Ｃ）はその側面図である。
図５（Ｃ）に示すように、フェンス１Ｂの傾斜部格子３１は正面側に傾斜させている。この場合、実施の形態で説明した鉛直部格子２１と、傾斜部格子３１とを、正面側に傾斜した連結金具３４により連結することで、図５（Ａ）−（Ｃ）に示すフェンス１Ｂを組み立てることができる。
【００４２】
なお、本発明では、傾斜部格子３１は正面又は背面のいずれかに傾斜していればよい。図５（Ｃ）に示すように、傾斜部格子３１は、実施の形態で説明した背面側と反対側、すなわち正面側に傾斜してもよい。傾斜部格子３１の傾斜方向、傾斜角度は、フェンス１Ａ、１Ｂの設置スペースに応じて決定すればよい。
【００４３】
また、傾斜部胴縁３２、鉛直部胴縁２２の数は任意である。本発明では、傾斜部胴縁３２が傾斜部格子３１を連結していればよい。
【００４４】
図６（Ａ）は鉛直パネル２０の変形例を示す上面図である。図６（Ｂ）はその正面図である。図６（Ｃ）はその側面図である。
図６（Ｂ）および（Ｃ）に示すように、鉛直部胴縁２２は、４個設けられてもよい。鉛直部胴縁２２の数は、鉛直部格子２１の長さ、フェンス１Ｃに要求される強度等に応じて決めるとよい。このように、鉛直部胴縁２２の数は任意である。また、図示しないが、傾斜部胴縁３２の数も任意である。
【００４５】
上記の実施の形態では、鉛直部格子２１として四角筒状の部材を用いた。しかし、本発明はこれに限定されない。例えば、鉛直部格子２１は、上記の実施の形態の四角筒状の部材に代えて、角筒の両側面に羽板を備える部材（ルーバー材ともいう）を用いてもよい。
【００４６】
上記実施の形態では、傾斜パネル３０の傾斜部格子３１は、アルミニウム製の四角筒状の部材である。しかし、本発明はこれに限定されない。傾斜部格子３１は、鉄や鋼製であってもよく、中空、中実のいずれであってもよい。傾斜部格子３１は、鉛直パネル２０の上端に取り付け可能である限り、その形状は任意である。例えば、傾斜部格子３１は、角柱状、角錐状であってもよい。また、傾斜部格子３１の取り付け手段も任意であり、連結金具３４に限られない。例えば、傾斜部格子３１の下端に、連結金具３４の鉛直部格子挿入部３４Ａが直接形成され、この鉛直部格子挿入部３４Ａによって、傾斜部格子３１が鉛直部格子２１に連結してもよい。さらに、傾斜部格子３１は、鉛直部格子２１の上端を折り曲げて形成したものであってもよい。
【００４７】
本発明では、ネジ２３、取付ネジ３５はネジに限られず、ボルトを含む締結部品であってもよい。このため、ネジ２３を第１の締結部品、取付ネジ３５を第２の締結部品と称してもよい。
【符号の説明】
【００４８】
１Ａ−１Ｃ  フェンス
２    フェンス
１０    支柱
１１    基礎部
２０    鉛直パネル
２１    鉛直部格子
２２    鉛直部胴縁
２３    ネジ
２３Ａ  軸部
２４    取付ネジ
３０    傾斜パネル
３１    傾斜部格子
３２    傾斜部胴縁
３２Ａ  胴縁ベース
３２Ｂ  胴縁カバー
３３    軸調整部品
３３Ａ  円筒壁
３３Ｂ  ネジ挿入円筒壁
３３Ｃ  傾斜壁
３３Ｄ  円筒軸
３３Ｅ  貫通孔
３３Ｆ  突起
３３Ｇ  端面
３４    連結金具
３４Ａ  鉛直部格子挿入部
３４Ｂ  傾斜部格子挿入部
３５    取付ネジ
３５Ａ  軸部
φ  傾斜角
θ    傾斜角
Ｈ    敷地
Ｌ    距離
Ｓ    傾斜地
Ｐ  平面
【図１】
2019131953.tif 000003
【図２】
2019131953.tif 000004
【図３】
2019131953.tif 000005
【図４】
2019131953.tif 000006
【図５】
2019131953.tif 000007
【図６】
2019131953.tif 000008